(57)【要約】【課題】  ファクシミリ等によって伝送する画像から、元のカラー画像の適正な再現を可能とする。【解決手段】  プリントサーバ１８Ａは、クライアントＰＣ２２から入力されるカラー画像の画像データを、色成分及び階調に応じてスクリーン処理を施すことにより、色ごとの濃度に応じたパターンが形成されるようにする。この印刷出力２６をファクシミリ１６で伝送する。受信側では、このファクシミリ出力３０をスキャナユニット２４で読み込むときに、スクリーン処理を施すことにより、色ごとの階調を再現した画像データが得られるようにしている。【選択図】        図１
2006086979.tif 000002
【特許請求の範囲】
【請求項１】
単色画像を受信した受信側で、元のカラー画像に再現可能に画像処理する画像処理方法であって、
前記受信側へ伝送する画像を、
前記カラー画像を形成する各色成分の画像データを色ごとに設定したスクリーン変換角度と、
前記カラー画像の階調成分に基づいたスクリーン線又はスクリーン変換角度でスクリーン処理して印刷出力することを特徴とする画像処理方法。
【請求項２】
前記階調成分に基づいた前記スクリーン線の太さでスクリーン処理することを特徴とする請求項１に記載の画像処理方法。
【請求項３】
前記階調成分に基づいた前記スクリーン線の間隔でスクリーン処理することを特徴とする請求項１に記載の画像処理方法。
【請求項４】
前記階調成分に基づいた前記スクリーン線の形状でスクリーン処理することを特徴とする請求項１に記載の画像処理方法。
【請求項５】
単色画像として伝送されたときに、受信側でカラー画像に再現可能とする画像を形成する画像形成装置であって、
前記カラー画像の画像データから各色のラスタデータを生成するラスタライズ手段と、
前記ラスタデータに基づいて記録紙に画像を形成する印刷出力手段と、
前記印刷出力手段によって前記記録紙に画像を形成するときに、色ごとに設定したスクリーン変換角度と、前記カラー画像の階調成分に基づいたスクリーン線又はスクリーン変換角度でスクリーン処理するスクリーン手段と、
を含むことを特徴とする画像形成装置。
【請求項６】
単色画像を受信した受信側で、元のカラー画像に再現可能に画像処理する画像処理方法であって、
前記受信側へ伝送する画像を、
４画素分の領域に、前記カラー画像の一画素分の各色成分の階調に基づいたドットを配置するように画像処理して形成していることを特徴とする画像処理方法。
【請求項７】
単色画像として伝送されたときに、受信側でカラー画像に再現可能とする画像を形成する画像形成装置であって、
前記カラー画像の画像データから各色のラスタデータを生成するラスタライズ手段と、
前記カラー画像の１画素分の各色のドットが記録紙上の４画素分の領域に配列されるように前記ラスタデータのそれぞれを変換する変換手段と、
前記変換手段によって変換されたら前記ラスタデータに基づいて前記記録紙に画像を形成する印刷出力手段と、
を含むことを特徴とする画像形成装置。
【請求項８】
単色画像として表された校正原稿から修正画像と共に修正指示を抽出可能とする画像処理方法であって、
予め設定されたマークによって定まる修正領域及び修正領域に含まれる画像を抽出すると共に、前記修正領域に含まれる修正指示画像を抽出し、
前記修正領域内の画像を、前記修正指示画像によって定まる情報に基づいて変換処理することを特徴とする画像処理方法。
【請求項９】
前記修正指示画像が文字列によって形成され、該文字列が示す情報と抽出することを特徴とする請求項８に記載の画像処理方法。
【請求項１０】
前記修正指示画像が予め設定されたフォームに修正指示を書き込んで前記校正原稿に貼付させていることを特徴とする請求項８に記載の画像処理方法。
【請求項１１】
単色画像として表された校正原稿から修正画像と共に修正指示を抽出する画像処理装置であって、
前記単色画像を読み取って画像データを生成する画像読取り手段と、
前記画像データから予め設定されたマークによって定まる修正領域及び修正領域に含まれる画像を抽出する修正画像抽出手段と、
前記画像データから前記修正領域に含まれる修正指示画像を抽出すると共に、該修正指示画像から修正指示を解析する修正指示抽出手段と、
前記修正画像抽出手段によって抽出した前記修正画像を、前記修正指示抽出手段によって抽出した前記修正指示に基づいて変換処理する変換手段と、
を含むことを特徴とする画像処理装置。
【請求項１２】
単色画像を受信した受信側で、元のカラー画像に再現可能に画像処理する画像処理方法であって、
前記カラー画像を色成分ごとに分割した画像データを生成し、該画像データのそれぞれの色情報を黒色に変換した画像データ又は画像のそれぞれを、伝送することを特徴とする画像処理方法。
【請求項１３】
前記黒色に変換した画像データを１ページ分の画像データに結合し、結合画像データ又は該画像データに基づいて印刷出力した画像を伝送することを特徴とする請求項１２に記載の画像処理方法。
【請求項１４】
前記黒色に変換した各画像データを縮小変換した画像データ又は該画像データに基づいて印刷出力した画像を伝送することを特徴とする請求項１２又は請求項１３に記載の画像処理方法。
【発明の詳細な説明】
【技術分野】
【０００１】
本発明は、カラー画像を二値化画像に変換すると共に、二値化画像からカラー画像を再現する画像処理方法、画像形成装置及び画像処理装置に関する。
【背景技術】
【０００２】
印刷処理の分野におけるデジタル化として、ＤＴＰ（Desktop Publishing）化が浸透している。ＤＴＰは、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
ＤＴＰにおいても、刷版を用いた実際の印刷に先立って校正を行う。このときには、例えば、ＷＹＳＩＷＹＧ機能等を用いて、モニタに表示したページレイアウトを、ページプリンタ等の印刷出力装置によって印刷出力（カンプ出力）する。
【０００４】
また、最終的な校正作業では、校正用に作成したカラープルーフ（カンプ出力）を、発注者（依頼主）などに渡して、校正を受ける必要がある。このような校正作業では、カンプ出力を元原稿として、この元原稿に対して、修正個所に赤入れ等を行った校正原稿を作成してもらい、この校正原稿を受け取って元の画像データ（ページレイアウト）を修正するようにしており、このような校正作業では、元原稿や校正原稿などの受け渡しが生じる。
【０００５】
一方、離れた場所への画像の伝送には、伝送コストを考慮して、公衆回線（電話回線）を用いたファクシミリが多用されている。このファクシミリには、カラー画像を伝送可能なＧ４モードと、白黒画像のみの伝送を可能とするＧ３モードがあるが、Ｇ４モードは専用のアダプタが必要となり、通信相手が限られることから、Ｇ３モードが多用されている。
【０００６】
ところで、元原稿や校正原稿は、カラー画像であるのが一般的であり、ファクシミリで元原稿や校正原稿を伝送しようとしても色情報を伝送することができないという問題がある。
【０００７】
一方、ＤＴＰに用いる画像形成装置としては、カラー原画像のハードコピーを行うときに、カラー原画像内の変換対象色を指定することより、指定された変換対象色を予め記憶しているパターン画像に置き換えて出力するデジタル複写機の提案がなされている（例えば、特許文献１参。）。
【０００８】
ここから、カラー画像から白黒の画像データと、色対応コードを形成し、白黒画像データと色対応コードから元のカラー画像を再現可能とすることにより、ファクシミリを用いて受信側へ受け渡し可能とした画像処理システムの提案がなされている（例えば、特許文献２参照）。
【特許文献１】特開平５−２２６１６号公報
【特許文献２】特開平１１−１８４８６６号公報
【発明の開示】
【発明が解決しようとする課題】
【０００９】
しかしながら、上記提案を達成するためには、送信側と受信側のそれぞれが同等の機能を備えた装置を備える必要がある。また、ファクシミリで伝送する画像の解像度が、１００dpi〜３００dpi程度であるため、十分な階調の再現が困難となるという問題がある。
【００１０】
本発明は上記事実に鑑みてなされたものであり、ファクシミリ等によって伝送する画像の色再現性は勿論、階調再現性の向上を図る画像処理方法、画像形成装置及び画像処理装置を提案することを目的とする。
【課題を解決するための手段】
【００１１】
上記目的を達成するために本発明は、単色画像を受信した受信側で、元のカラー画像に再現可能に画像処理する画像処理方法であって、前記受信側へ伝送する画像を、前記カラー画像を形成する各色成分の画像データを色ごとに設定したスクリーン変換角度と、前記カラー画像の階調成分に基づいたスクリーン線又はスクリーン変換角度でスクリーン処理して印刷出力することを特徴とする。
【００１２】
この発明によれば、スクリーン変換角度及びスクリーン線を変化させることにより、画像の色及び階調に応じたパターンを形成する。これにより、白黒画像などの単色画像となっても、色及び階調の再現が可能となる。
【００１３】
このような本発明においては、前記階調成分に基づいた前記スクリーン線の太さでスクリーン処理しても良く、前記階調成分に基づいた前記スクリーン線の間隔でスクリーン処理しても良く、また、前記階調成分に基づいた前記スクリーン線の形状でスクリーン処理するものであっても良い。
【００１４】
このような本発明を達成する画像形成装置は、単色画像として伝送されたときに、受信側でカラー画像に再現可能とする画像を形成する画像形成装置であって、前記カラー画像の画像データから各色のラスタデータを生成するラスタライズ手段と、前記ラスタデータに基づいて記録紙に画像を形成する印刷出力手段と、前記印刷出力手段によって前記記録紙に画像を形成するときに、色ごとに設定したスクリーン変換角度と、前記カラー画像の階調成分に基づいたスクリーン線又はスクリーン変換角度でスクリーン処理するスクリーン手段と、を含むものであれば良い。
【００１５】
また、本発明は、単色画像を受信した受信側で、元のカラー画像に再現可能に画像処理する画像処理方法であって、前記受信側へ伝送する画像を、４画素分の領域に、前記カラー画像の一画素分の各色成分の階調に基づいたドットを配置するように画像処理して形成していることを特徴とする。
【００１６】
この発明によれば、元のカラー画像で１画素を形成する各色成分のドットを、４画素分の領域に並べて形成する。これにより、白黒画像となっても、各色成分のドットから元のカラー画像を容易に再現することができる。
【００１７】
このような本発明を達成する画像形成装置は、単色画像として伝送されたときに、受信側でカラー画像に再現可能とする画像を形成する画像形成装置であって、前記カラー画像の画像データから各色のラスタデータを生成するラスタライズ手段と、前記カラー画像の１画素分の各色のドットが記録紙上の４画素分の領域に配列されるように前記ラスタデータのそれぞれを変換する変換手段と、前記変換手段によって変換されたら前記ラスタデータに基づいて前記記録紙に画像を形成する印刷出力手段と、を含むものであれば良い。
【００１８】
また、本発明は、単色画像として表された校正原稿から修正画像と共に修正指示を抽出可能とする画像処理方法であって、予め設定されたマークによって定まる修正領域及び修正領域に含まれる画像を抽出すると共に、前記修正領域に含まれる修正指示画像を抽出し、前記修正領域内の画像を、前記修正指示画像によって定まる情報に基づいて変換処理することを特徴とする。
【００１９】
この発明によれば、予め設定されたマークを書き込んで画像を指定すると共に、校正指示画像を形成されているときに、校正が指定された画像及び校正指示情報によって形成される校正指示画像と抽出すると、校正指示画像から校正指示情報を判断して、指定された画像に対する画像処理を行う。
【００２０】
これにより、単色画像であっても、的確に校正することができる。
【００２１】
このような発明では、前記修正指示画像が文字列によって形成され、該文字列が示す情報と抽出すればよく、また、前記修正指示画像が予め設定されたフォームに修正指示を書き込んで前記校正原稿に貼付させるようにしていれば、そのフォームから校正指示情報を解析すればよい。
【００２２】
また、この本発明が適用される画像処理装置は、単色画像として表された校正原稿から修正画像と共に修正指示を抽出する画像処理装置であって、前記単色画像を読み取って画像データを生成する画像読取り手段と、前記画像データから予め設定されたマークによって定まる修正領域及び修正領域に含まれる画像を抽出する修正画像抽出手段と、前記画像データから前記修正領域に含まれる修正指示画像を抽出すると共に、該修正指示画像から修正指示を解析する修正指示抽出手段と、前記修正画像抽出手段によって抽出した前記修正画像を、前記修正指示抽出手段によって抽出した前記修正指示に基づいて変換処理する変換手段と、を含むものであれば良い。
【００２３】
さらに、本発明は、単色画像を受信した受信側で、元のカラー画像に再現可能に画像処理する画像処理方法であって、前記カラー画像を色成分ごとに分割した画像データを生成し、該画像データのそれぞれの色情報を黒色に変換した画像データ又は画像のそれぞれを、伝送することを特徴とする。
【００２４】
この発明によれば、各色成分の色情報を黒色に変換して伝送する。このときに、全ての色成分が伝送されるので、色情報を戻すことにより、元の画像を的確に再現することができる。
【００２５】
このような本発明においては、前記黒色に変換した画像データを１ページ分の画像データに結合し、結合画像データ又は該画像データに基づいて印刷出力した画像を伝送しても良く、また、前記黒色に変換した各画像データを縮小変換した画像データ又は該画像データに基づいて印刷出力した画像を伝送することもできる。
【発明の効果】
【００２６】
以上説明したように本発明によれば、ファクシミリ等を用いて白黒画像として伝送した時にも、伝送先、元のカラー画像への的確な再現が可能となるという優れた効果が得られる。
【発明を実施するための最良の形態】
【００２７】
以下に、図面を参照しながら本発明の実施の形態を説明する。
〔第１の実施の形態〕
図１には、第１の実施の形態に係る画像処理システム１０の概略構成を示している。この画像処理システム１０は、複数のユーザ１２が、が公衆回線１４によって相互に接続している。
【００２８】
なお、本実施の形態では、ユーザ１２Ａとユーザ１２Ｂを例に説明する。また、ユーザ１２Ａ、１２Ｂの基本的構成は同じであり、以下では、区別するときにユーザ１２Ａ側に「Ａ」を付し、ユーザ１２Ｂ側に「Ｂ」を付す。さらに、公衆回線１４としては、インターネット等の回線網を形成するものであっても良く、また、専用回線を用いることができるが、本実施の形態では一例として電話回線を適用している。
【００２９】
ユーザ１２Ａ、１２Ｂには、ファクシミリ装置（以下、単にファクシミリとする）１６（１６Ａ、１６Ｂ）が設けられており、このファクシミリ１６が公衆回線１４によって接続されている。
【００３０】
ファクシミリ１６は、Ｇ３モードを備えており、これにより、ユーザ１２Ａ、１２Ｂの間で、ファクシミリ１６を用いた画像の送受信（伝送）が可能となっている。また、ファクシミリ１６は、原稿画像を二値化して伝送可能であると共に、受信画像を、白黒画像で出力する一般的構成となっている。
【００３１】
ユーザ１２Ａ、１２Ｂには、プリントサーバ１８（１８Ａ、１８Ｂ）が設けられており、このプリントサーバ１８Ａ、１８Ｂに、プリンタ２０（２０Ａ、２０Ｂ）が接続している。
【００３２】
プリンタ２０は、画像データに応じた画像を図示しない記録紙に形成して出力する印刷出力装置の機能（プリンタ機能）に加え、スキャナユニット２４が設けられ原稿画像を読み込むスキャナ機能及び、プリンタ機能とスキャナ機能を合わせて用いる複写機能（コピー機能）を併せ持つ複合機となっている。
【００３３】
ユーザ１２Ａ、１２Ｂには、複数のクライアントＰＣ２２（２２Ａ、２２Ｂ）が設けられており、クライアントＰＣ２２が、プリントサーバ１２にネットワーク接続されている。
【００３４】
これにより、クライアントＰＣ２２で作成したページレイアウト等を、印刷ジョブとしてプリントサーバ１８へ出力することにより、このページレイアウトに応じた画像がプリンタ２０から印刷出力される。
【００３５】
画像形成システム１０では、プリントサーバ１８として、パーソナルコンピュータ等に所定の機能を備えたＰＣＩボード等を追加するなどして構成できる。また、プリントサーバ１８は、キーボードやマウスなどの入力デバイス、ＣＲＴディスプレイやＬＣＤディスプレイなどの表示デバイスを備えており、表示デバイスに表示した画像に対する処理及び、表示画像をプリンタ２０から印刷出力するＷＹＳＩＷＹＧ機能を備えている。
【００３６】
また、プリントサーバ１８は、プリンタ２０を用いて画像を形成するときや、スキャナユニット２４を用いて画像を読み込むときにスクリーン処理が可能となっている（スクリーン機能）。
【００３７】
この画像形成システム１０では、例えば、ユーザ１２Ａ、１２Ｂの一方が印刷物の依頼主（発注者）等で、他方が依頼主からの依頼を受ける印刷会社や広告会社、デザイン会社（以下、一例として印刷会社とする）となる。
【００３８】
印刷会社側では、クライアントＰＣ２２用いて依頼主から依頼されたページレイアウト等を作成し、作成したページレイアウト等に基づいて印刷処理を行う。このような印刷会社側では、プリントサーバ１８やクライアントＰＣ２２が接続されるネットワークに、クライアントＰＣ２２によって作成したページレイアウト当の画像データに応じて、印刷用の刷版となる印刷版を露光するプレートセッターや、印刷版の露光に用いるフィルムを作成するフィルムセッター等が接続されるものであっても良い。
【００３９】
一方、印刷会社側で作成したページレイアウトを印刷出力し、これを校正用の原稿として依頼主へ渡す。依頼主は、この原稿に修正などの必要があれば、赤入れなどの書込みを行い、印刷会社へ渡す校正原稿を作成する。
【００４０】
ところで、プリントサーバ１８及びプリンタ２０では、高品質の画像形成を行うときに用いられる一般的機能であるスクリーン処理が可能となっており、プリンタ２０は、スクリーン機能を用いることにより、カラー画像を高品質でプリンタ２０から印刷出力できるようになっている。
【００４１】
また、プリンタ２０では、スキャナユニット２４を用いて画像を読み込みときにスクリーン処理が可能となっている。
【００４２】
画像形成システム１０では、一方のユーザ１２で、このスクリーン機能を用いてプリンタ２０から印刷出力したカラー画像を、ファクシミリ１６を用いて他方のユーザ１２に伝送し、受信したユーザ１２が、受信画像をプリンタ２０のスキャナ機能を用いて読み込んで印刷出力又は、画像データとしてクライアントＰＣ２２に送る。このとき、スクリーン機能を用いることにより、フルカラーでかつ、高諧調の画像又は画像データが得られるようにしている。
【００４３】
ここで、画像形成システム１０でファクシミリ１６を用いたカラー画像の伝送と再現を説明する。なお、以下では、一例としてユーザ１２側のクライアントＰＣ２２Ａで作成したページレイアウトに応じた画像を、ユーザ１２Ｂへ送るものとして説明する。また、プリンタ２０がＹ（イエロー）、Ｍ（マゼンタ）、Ｃ（シアン）及びＫ（ブラック）の各色のトナーを用いて画像形成を行い、プリンタ２０に設けられているスキャナユニット２４では、Ｃ、Ｍ、Ｙ、Ｋの各色を読み取って、それぞれの色のデータ（画像データ）生成が可能となっている。
【００４４】
クライアントＰＣ２２Ａで作成したカラーで形成したページレイアウトを送るときには、先ず、ページレイアウトの画像データをプリントサーバ１８Ａへ送信して、ページレイアウトに応じた画像をプリンタ２０Ａから印刷出力する。
【００４５】
プリントサーバ１８は、画像データを受信すると、Ｃ（シアン）、Ｍ（マゼンタ９）、Ｙ（イエロー）及びＫ（ブラック）の各色版に分版し、ラスタデータを生成し、このラスタデータをプリンタ２０へ出力することにより、ページレイアウトに応じた印刷出力を得る。
【００４６】
このときに、プリントサーバ１８Ａでは、各色についてスクリーン変換角度（スクリーン角度）を換える。これと共に、プリントサーバ１８Ａでは、濃度に応じたスクリーン処理を行う。これにより、プリンタ２０Ａから出力される印刷出力２６が、Ｃ、Ｍ、Ｙ、Ｋの各色で、スクリーン処理の結果が、濃度に応じて変化するようにしている。
【００４７】
すなわち、ページレイアウトの画像が、図２（Ａ）に示す画像２８であるときに、図２（Ｂ）に示すように、印刷出力２６では、各色ごとに濃度に応じたパターンが現れるようにしている。
【００４８】
このときの濃度の表現としては、例えば、図３（Ａ）に示すように、濃度が低いときには、スクリーン線が細く、濃度が高くなるにつれてスクリーン線が太くなるようにしている。なお、図３（Ａ）では、濃度２０％（図３（Ａ）の紙面左側）、濃度５０％（図２（Ａ）の紙面中央）及び、濃度８０％（図３（Ａ）の紙面右側）を例示している。
【００４９】
なお、スクリーン線を用いた濃度の表現方法としては、例えば図３（Ｂ）に示すように、スクリーン線の間隔を変えるなどの方法を用いることができる。スクリーン線の間隔を用いるときには、図３（Ｃ）に示すように、濃度の薄いときに間隔ｔが広くなり（図３（Ｃ）の紙面左側）、濃度の濃いときには間隔ｔが狭くなる（図３（Ｃ）の紙面右側）ようにすることができる。
【００５０】
また、スクリーン線を用いた濃度表現としては、図３（Ｄ）に示すように、濃度に応じてスクリーン線の形状を換えるようにしてもよい。すなわち、長さの異なるスクリーン線の組み合わせで階調表現をするようにしても良く、図３（Ｄ）では、紙面左側のスクリーン線が濃度の薄いときに用いられ、紙面右方向へ変わるにしたがって濃度が濃く（高く）なるように用いる。
【００５１】
このようにして、色と濃度に応じたパターンが形成された印刷出力２６をファクシミリ１６Ａによって読み取って、ユーザー１２Ｂ側のファクシミリ１６Ｂに伝送する。
【００５２】
これにより、図１に示すように、ファクシミリ１６Ｂからは、画像が二値化されたファクシミリ出力３０が得られる。
【００５３】
ユーザー１２Ｂ側では、このファクシミリ出力３０をプリンタ２０Ｂのスキャナユニット２４に装着して画像読込みを行う。このとき、プリンタ２０Ｂでは、各色ごとに設定しているスクリーン変換角度に合わせて画像を読み込む。
【００５４】
これにより、Ｃ、Ｍ、Ｙ、Ｋの各色成分の画像データが得られる。また、プリンタ２０Ｂでは、ファクシミリ出力３０を読み込むときに、Ｃ、Ｍ、Ｙ、Ｋのそれぞれについて、スクリーン線の太さから濃度変化を持たせる。すなわち、濃度に応じてスクリーン線の太さが変化しているので、スクリーン線の太さを濃度値に変換する。
【００５５】
このようにしてスクリーン処理を行いながら、ファクシミリ出力３０の画像を読み込むときにより、元の画像２８に応じたＣ、Ｍ、Ｙ、Ｋの各色成分の画像データが得られる。
【００５６】
プリントサーバ１８Ｂでは、このようにして生成した画像データに基づいた印刷処理を、プリンタ２０Ｂで実行することにより、画像２８と同等の画像が形成された印刷出力３２が得られる。また、この画像データをプリントサーバ１８ＢからクライアントＰＣ２２Ｂに出力することにより、クライアントＰＣ２２Ｂでは、クライアントＰＣ２２Ａで作成したページレイアウトの画像データと同等の画像データが得られる。
【００５７】
このように、画像形成システム１０では、ファクシミリ１６を用いてカラー画像を伝送したときに、白黒画像が出力されるにも拘わらず、元の画像と同等の色及び階調表現がなされた画像を再現することができる。
【００５８】
なお、第１の実施の形態では、スクリーン線を用いて階調表現を行ったが、スクリーン変換角度によって色と階調表現を合わせて行うこともできる。
【００５９】
図４（Ａ）には、一般的なドット集中型の４×４ドットのドットマトリックス３４を示している。このドットマトリックス３４上の数字は、印字の順序を示している。
【００６０】
このようなドットマトリックス３４では、１７階調（４×４＋１）間での階調を示すことができる。
【００６１】
ここで、例えば、図４（Ｂ）に示すように、右４５°のスクリーン処理を用いて６通りのドットパターン３４Ａ〜３４Ｆが得られ、また、ドットパタン３４Ａ〜３４Ｆのそれぞれで１３階調の表現ができ、ここから、７６階調（１３×６＋１）の階調表現が可能となる。このとき、隣接するマトリックス３４を参照することにより、連続性を持たせることができる。
【００６２】
これにより、単にドットマトリックス３４をそのまま用いて階調表現を行うのに対して、４．５倍以上に階調表現が可能となり、例えば、ファクシミリ１６が１００dpiの解像度であれば、４６０dpiで画像伝送を行ったときと同等の結果が得られ、また、ファクシミリ１６が３００dpiであれば、約１４００dpiとなり、ＤＴＰに十分な解像度の画像として伝送することが可能となる。
【００６３】
なお、第１の実施の形態では、画像データとしてＣＭＹＫ値を用いたが、ＲＧＢ値を用いても良い。
〔第２の実施の形態〕
次に本発明の第２の実施の形態を説明する。なお、第２の実施の形態の基本的構成は、前記した第１の実施の形態と同じであり、第１の実施の形態と同一の部品には、同一の符号を付与してその説明を省略する。
【００６４】
第２の実施の形態では、プリントサーバ１８Ａから、ファクシミリ１６Ａを用いて伝送する画像を印刷出力するときに、４画素分の領域を１画素に割り当てることにより、４画像分の領域を用いて、Ｃ、Ｍ、Ｙ、Ｋの各色のドットを階調表現しながら形成するようにしている。
【００６５】
すなわち、図５（Ａ）に示す元の画像２８に対して、プリントサーバ１２では、同等のサイズで解像度を１／２に落とした画像２８Ａ（図５（Ｂ）参照）を形成し、この画像からＣ、Ｍ、Ｙ、Ｋの各色版のラスタデータを生成し、図５（Ｃ）に示すように、４画素分の領域に、Ｃ、Ｍ、Ｙ、Ｋの各色のドットを配列しながら画像形成を行う。
【００６６】
すなわち、Ｙ版用の印字エリア３６Ｙ、Ｍ版用の印字エリア３６Ｍ、Ｃ版用の印字エリア３６Ｃ及び、Ｋ版用の印字エリア３６Ｋを設け、印字エリア３６Ｙ、３６Ｍ、３６Ｃ、３６Ｋのそれぞれに、Ｙ、Ｍ、Ｃ、Ｋの各色の階調に応じたドット３８Ｙ、３８Ｍ、３８Ｃ、３８Ｋを形成する。
【００６７】
このようにして画像を形成した印刷出力２６の画像を、ファクシミリ１６Ａを用いてファクシミリ１６Ｂへ伝送する。これにより、ファクシミリ１６Ｂでは、印刷出力２６の画像に応じた白黒画像のファクシミリ出力３０が得られる。
【００６８】
この後、このファクシミリ出力３０をプリンタ２０Ｂのスキャナユニット２４へ装着して、画像読込みを行う。
【００６９】
このときにプリンタ２０Ｂでは、４画素分のドット３８Ｙ、３８Ｍ、３８Ｃ、３８Ｋによって一つの画素を形成するように、Ｙ、Ｍ、Ｃ、Ｋの各色版のラスタデータを生成する。
【００７０】
このようにして形成したラスタデータを用いて印刷出力を行うか、画像合成を行う。これにより、元の画像２８の階調を表した画像（印刷出力３２）や、画像データを得ることができる。
【００７１】
したがって、Ｇ３モードのファクシミリ１６を用いて画像伝送を行って、元の画像２８の階調を再現することができる。
【００７２】
なお、ここでは、元の画像の解像度を１／２に落としたが、これに限らず、例えば、図６（Ａ）に示すように、解像度を２倍にした画像２８Ｃ（画像データ）を生成し、図６（Ｂ）に示すように、４画素分の印字エリア３６Ｙ、３６Ｍ、３６Ｃ、３６Ｋに、階調に応じて形成したドット３８Ｙ、３８Ｍ、３８Ｃ、３８Ｋの各色ドットを配置するようにしてもよい。
【００７３】
また、図６（Ｃ）に示すように、元の画像２８に対して、面積を４倍にした画像２８Ｃ（画像データ）を生成し、図６（Ｄ）に示すように、４画素分の印字エリア３６Ｙ、３６Ｍ、３６Ｃ、３６Ｋに、階調に応じて形成したドット３８Ｙ、３８Ｍ、３８Ｃ、３８Ｋを配置するようにしてもよい。
【００７４】
なお、第１及び第２の本実施の形態では、公衆回線１４として電話回線を用いたが、画像データの伝送には、インターネットなどの公衆回線網や、専用回線網を用いることができ、このときには、データを二値化画像として伝送することができるので、伝送時間が短くて済むと共に、従量課金制であっても伝送コストを低く抑えることができる。
〔第３の実施の形態〕
次に本発明の第３の実施の形態を説明する。図７には、第３の実施の形態に適用した画像形成システム４０の概略構成を示している。
【００７５】
この画像形成システム４０には、プリントサーバ４２及び、クライアントＰＣ４４と共に、スキャナ４６を含んで形成されている。プリントサーバ４２には、ネットワークインターフェイス（ネットワークＩ／Ｆ）４８が設けられ、これにより、クライアントＰＣ４４、スキャナ４６等とネットワーク接続され、画像データ等のデータ交換（送受信）が可能となっている。
【００７６】
また、プリントサーバ４２には、双方向Ｉ／Ｆ５０を介して、印刷出力装置として設けられているプリンタ５２が接続している。
【００７７】
なお、第３の実施の形態に適用しているプリントサーバ４２、クライアントＰＣ４４及びプリンタ５２は、基本的構成が前記した第１及び第２の実施の形態に適用したプリントサーバ１８、クライアントＰＣ２２及びプリンタ２０と同じである。また、第３の実施の形態では、スキャナ４６とプリンタ５２を分けているが、プリンタ５２がスキャナユニットを備えた複合機であるときには、スキャナ４６に換えてプリンタ５２に設けているスキャナユニットを用いることができる。
【００７８】
プリントサーバ５２には、各種の画像処理と共にＲＩＰ処理を行う画像処理部５４及び、プリントサーバ４２やプリンタ５２の作動を制御するプリントコントローラ５６が設けられている。
【００７９】
これにより、画像形成システム４０では、クライアントＰＣ４４から出力される印刷ジョブを、プリントサーバ４２で受信すると、プリントサーバ４２で、受信した印刷ジョブを処理待ちキューにスプールしながら、処理待ちキューから順に読出し、画像処理及びＲＩＰ処理を施す。また、プリントサーバ４２では、ＲＩＰ処理によって生成されたＹ、Ｍ、Ｃ、Ｋの各色のラスタデータを印刷待ちキューにスプールすると共に、印刷待ちキューから順に読み出してプリンタ５２へ出力し、プリンタ５２で印刷処理を実行するようにしている。
【００８０】
なお、プリントサーバ４２では、印刷処理の終了した印刷ジョブに対して、予め保存が設定されていることにより、図示しないＨＤＤなどの記憶手段にスプールしておくようになっている。
【００８１】
一方、プリントサーバ４２では、スキャナ４６によって読み込んだ画像の画像データが入力されることにより、入力された画像データに基づいた印刷処理を実行する。これにより、スキャナ４６によって読み取った画像の複写などの処理が可能となっている。
【００８２】
ところで、プリントサーバ４２の画像処理部５４には、スキャナ４６から入力される画像の画像データから所定の領域を抽出するエリア抽出部６０と共に、抽出したエリアに対する情報を抽出する情報抽出部６２が設けられている。
【００８３】
また、プリントサーバ４２の画像処理部５４には、エリア抽出部６０によって抽出した画像を、情報抽出部６２によって抽出した情報と関連付け、画像変換を行う画像変換部６４が設けられている。
【００８４】
ここで、例えば、図８（Ａ）に示す元原稿６６に、修正指示を書き込んで校正原稿を作成する。このとき、図８（Ｂ）に示すように、校正原稿６８では、修正する画像６８Ａ（オブジェクト）を任意の色で囲んで囲み７０を形成する。
【００８５】
プリントサーバ４２に設けているエリア抽出部６０は、画像データ上でこの囲み７０を形成するデータと共に、囲み７０内の画像の画像データを抽出するようになっている。なお、囲み７０は、予め規定していれば、実線であっても良く、また、破線等の他の種類の線であっても良い。
【００８６】
また、画像６８Ａに対する修正指示７２は、囲み７０から引き出した引出し線７０Ａによって示す。
【００８７】
プリントサーバ４２に設けている情報抽出部６２では、囲み７０につながっている引出し線７０Ａを形成しているデータを抽出し、このデータから修正指示７２を形成する画像のデータを抽出すると共に、抽出したデータに対して所定の画像処理（画像抽出処理）を行うことにより、修正指示７２の内容を解析するようになっている。
【００８８】
また、プリントサーバ４２に設けている画像変換部６４では、エリア抽出部６０によって抽出した画像を、情報抽出部６２で解析した修正指示７２に基づいて画像処理を行い、修正指示７２に基づいた画像を形成する。
【００８９】
このように構成されている画像形成システム１０では、クライアントＰＣ４４で作成したページレイアウト等を、プリントサーバ４２へ送信することにより、印刷処理を行うことにより、元原稿６６を出力する。このとき、クライアントＰＣ４４では、元原稿６６の画像データをプリントサーバ４２にスプールするように設定することが好ましい。また、ページレイアウトがカラーであれば、元原稿６６はカラーで出力される。
【００９０】
印刷出力された元原稿６６は、依頼者（校正者）に渡され、校正を受ける。このとき、校正者は、修正する画像６８Ａを囲み７０によって示し、また、校正指示７２を、引出し線７０Ａで明示する。
【００９１】
このようにして作成された校正原稿６８は、ファクシミリで伝送されてきたり、白黒のコピーなどの単色画像が形成された状態で渡されることがある。
【００９２】
ここで、単色に校正原稿６８を受け取ったときには、この校正原稿６８をスキャナ４６に装填して校正原稿６８に形成された画像の画像データをプリントサーバ４２へ伝送する。
【００９３】
プリントサーバ４２では、校正原稿６８の画像データを読み込むと、囲み７０及び囲み７０内の画像６８Ａを抽出する。また、プリントサーバ４２では、囲み７０を抽出すると、さらに引き出し線７０Ａの抽出及び引き出し線７０Ａによって示される修正指示７２に応じた画像データの抽出を行う。
【００９４】
修正が指示された画像６８Ａの画像データと、修正指示７２を示す画像データを抽出すると、修正指示７２の解析を行う。この後、プリントサーバ１２では、修正が指示された画像６８Ａと、この画像６８Ａに対する修正指示に基づいて、画像６８Ａに対する画像変換を行う。
【００９５】
これにより、図８（Ｃ９）に示すように、例えば、修正指示７２が、元原稿６６上で「Ｐ  ０３２Ｃ」で示される色で形成されていた画像の中の画像６８Ａを、「Ｄ１７０」で示す色（特色）の画像に変換するように指定しているときには、修正指示７２に基づいた画像６８Ｂが得られるように画像変換を行う。
【００９６】
これにより、校正原稿６８が単色画像であっても、修正が指示された画像８６Ａを、修正指示に基づいた画像６８Ｂに変換して印刷出力したり、クライアントＰＣ４４へ送信して、修正後の画像６８Ｂを明確に示すことができる。
【００９７】
また、プリントサーバ４２では、校正原稿６８に対する元原稿６６の画像データを保持しているときには、元原稿の画像データの中から、修正が指示された画像６８Ａの画像データを、修正後の画像６８Ｂの画像データに置換する。
【００９８】
これにより、図８（Ｄ）に示すように、修正後の原稿７４を得ることができると共に、修正指示に基づいたページレイアウトを修正した画像データを得ることができる。
【００９９】
このように、画像形成システム１０では、校正原稿が白黒などの単色画像で戻されたときにも、校正指示７２を予め設定しているフォームで書き込んでおくことにより、修正が指示されている画像６８Ａを修正指示７２に基づいた画像６８Ｂに的確に変換することができる。
【０１００】
したがって、校正原稿６８がファクシミリなどによって送られてきたときにも、修正指示７２に基づいた適切な修正作業や、適切な修正が施された原稿７４を得ることができる。
【０１０１】
なお、ここでは、修正を指示する画像６８Ａを特定可能とするために囲み７０を用いて説明した、修正を指示する画像６８Ａをプリントサーバ４２のエリア抽出部６０で的確に抽出可能であれば、これに限らず、任意のマークを使用することができる。
【０１０２】
また、修正指示７２を引き出し線７０Ａによって特定するようにしたが、例えば、画像６８Ａの色の変更などの場合、予め設定しているフォームのラベルなどを、校正原稿に貼り付けるようにしてもよい。
【０１０３】
このようなときには、例えば、図９（Ｂ）に示すカラーパッチ出力用フォーム７６を用いることができる。このカラーパッチ出力用フォーム７６では、マークシート方式を用いて、変換色を、ＹＭＣＫ値、ＲＧＢ値、ｓＲＧＢ値、adobeＲＧＢ値、Ｌ*ａ*ｂ*値などの何れかで選択するか、メーカーで選択するかの指定が可能となっており、また、数値入力によって具体的な色の指定が可能となるようにしている。
【０１０４】
このようなカラーパッチ出力用フォーム７６を用いることにより、変更指示となるデータの解析を、スキャナ４６によって読み込んだ画像から容易にかつ的確に行うことができる。
【０１０５】
このようなカラーパッチ出力用フォーム７６を用いるときには、囲み７０などによって修正を指示する画像６８Ａを特定可能とし、余白部分などにカラーパッチ出力用フォーム７６を貼り付けた校正原稿７８を形成すればよい。
【０１０６】
なお、このような画像処理は、色の変更指示などに対して、指示内容（校正指示７２）を的確に伝達することができ好ましいが、色の変更に限らず、文章の訂正や、文字のフォントなどの変更指示等にも適用することが可能であり、さらに、これらに限らず、他の修正指示に適用することもできる。
〔第４の実施の形態〕
次に本発明の第４の実施の形態を説明する。図１０に示すように、第４の実施の形態に適用した画像形成システム８０では、ファクシミリ１６などによって伝送する送信用の画像を形成するプリントサーバ８２と、ファクシミリ１６等によって伝送された画像から元のカラー画像を再現する受信用のプリントサーバ８４とを含んで形成されている。
【０１０７】
なお、プリントサーバ８２、８４は同一の装置又は同一の機能を備えた装置であっても良いが、ここでは、送信側の機能と受信側の機能を分けて説明する。また、第４の実施の形態において、第３の実施の形態又は、第１、第２の実施の形態と同等の機器には、同一の符号を付与してその説明を省略する。
【０１０８】
プリントサーバ８２の画像処理部８６には、クライアントＰＣ４４等から入力されるカラー画像の画像データを、Ｙ、Ｍ、Ｃ、Ｋの各色版ごとの成分に分版する分版処理部８８と、分版処理したデータ（画像データ）に対して、所定の処理を施して、印刷出力装置として設けているプリンタ５２を用いた印刷出力用の画像データを生成する出力変換部９０とを含んで形成されている。
【０１０９】
また、プリントサーバ８４の画像処理部９２には、プリントサーバ８２を用いて出力された画像をスキャナ４６によって読み込んだときに、スキャナ４６から入力される画像データに対して、所定の処理を施す入力変換部９４と、入力変換部９４から出力された画像データを合成する合成処理部９６を含んでおり、プリントサーバ８４では、プリンタ５２を用いて合成処理部９６から出力された画像データに応じた画像を印刷出力するようになっている。
【０１１０】
このように構成されている画像形成システム８０では、クライアントＰＣ４４から入力される画像データに応じたカラー画像を出力するときに、Ｙ、Ｍ、Ｃ、Ｋの各色成分に分版し、分版した画像が白黒画像となるように変換処理する。また、変換処理した各色版の成分を、縦横に並べた１枚の画像となるように画像合成及びラスタデータの生成を行う。このとき、Ｙ、M、Ｃ、Ｋの各色成分の画像が所定位置に配置されるようにしている。
【０１１１】
これにより、カラー画像を白黒画像としてファクシミリ１６によって伝送する。受信側では、ファクシミリ１６によって受信した画像をスキャナ４６に読み込んでプリントサーバ８４へ入力する。プリントサーバ８４では、受信した画像データを、予め設定した位置で４分割することにより、Ｙ、Ｍ、Ｃ、Ｋの各色の画像に対する白黒のデータを生成すると、それぞれのデータに対して色変換を施すことにより、Ｙ、Ｍ、Ｃ、Ｋの各色成分のラスタデータを生成し、このラスタデータを用いたカラー印刷することにより、クライアントＰＣ４４から出力した画像データに応じた画像が得られるようにしている。
【０１１２】
ここで、画像形成システム８０での具体的な処理を、具体例として説明する。
【０１１３】
〔具体例１〕
先ず、具体例１を、図１１及び図１２参照しながら説明する。図１１（Ａ）から図１１（Ｄ）には、プリントサーバ８２側での処理の概略を示し、図１２（Ａ）から図１２（Ｄ）には、プリントサーバ８４側での処理の流れを示している。
【０１１４】
プリントサーバ８２では、図１１（Ａ）に示す画像１００に応じた画像データが入力されることにより、この画像データに対する分版処理を行う。これにより、図１１（Ｂ）に示すように、Ｃ色成分の画像データ１０２Ｃ、Ｍ色成分の画像データ１０２Ｍ、Ｙ色成分の画像データ１０２Ｙ及び、Ｋ色成分の画像データ１０２Ｋを生成する。
【０１１５】
この後に、プリントサーバ８２では、各色成分の画像データ１０２Ｃ、１０２Ｍ、１０２Ｙ、１０２Ｋのそれぞれを、黒色（Ｋ色）の画像データとなるように色変換を施す。
【０１１６】
これにより、図１１（Ｃ）に示すように、画像データ１０４ＣK、１０４ＭK、１０４ＹK及び、１０４ＫK（黒色は画像データ１０２Ｋであっても良い）を生成する。
【０１１７】
この後に、図１１（Ｄ）に示すように、画像データ１０４ＣK、１０４ＭK、１０４ＣK、１０４ＫKの画像を縦横に並べて合成した画像１０６が得られる画像データ１０８を形成する。
【０１１８】
すなわち、画像データ１０８に基づいてラスタ処理及び印刷処理を行うことにより、白黒の画像１０６が印刷出力される。
【０１１９】
このように形成した白黒の画像１０６を、ファクシミリ１６を用いて伝送する。これにより、図１２（Ａ）に示すように、受信側では、画像１０６に応じた画像１１０がファクシミリ１６から出力される。
【０１２０】
スキャナ４６では、この画像１１０を読み取って、画像１１０に応じた画像データをプリントサーバ８４へ出力する。プリントサーバ８４では、画像データ１００を分割することより、図１２（Ｂ）に示すように、Ｃ色領域の画像データ１１２Ｃ、Ｍ色領域の画像データ１１２Ｍ、Ｙ色領域の画像データ１１２Ｙ及び、Ｋ色領域の画像データ１１２Ｋを得る。
【０１２１】
この後、画像データ１１２Ｃ、１１２Ｍ、１１２Ｙ、１１２Ｋのそれぞれに対して色変換及びラスタライズを行うことにより、図１２（Ｃ）に示すように、Ｃ、Ｍ、Ｙ、Ｋの各色版の画像データ（ラスタデータ）１１４Ｃ、１１４Ｍ、１１４Ｙ、１１４Ｋを生成する。
【０１２２】
この画像データ色版の画像データ１１４Ｃ、１１４Ｍ、１１４Ｙ、１１４Ｋに基づいて印刷処理を行うことにより、図１２（Ｄ）に示すように、元の画像１００（図１１（Ａ）参照）と同等の画像１１６が得られる。
【０１２３】
なお、ここでは、画像データ１０４ＣK、１０４ＭK、１０４ＹK、１０４ＫKを合成して画像１０６を出力したが、画像データ１０４ＣK、１０４ＭK、１０４ＹK、１０４ＫKに応じた白黒の画像４枚を出力して、ファクシミリ１６で伝送するようにしても良く、このときには、スキャナ４６で読み込むときにその画像の色成分も入力すればよい。
【０１２４】
〔具体例２〕
次に、図１３及び図１４を参照しながら、具体例２を説明する。図１３（Ａ）から図１３（Ｅ）には、プリントサーバ８２側での処理の概略を示し、図１４（Ａ）から図１４（Ｅ）には、プリントサーバ８４側での処理の流れを示している。
【０１２５】
プリントサーバ８２では、図１３（Ａ）に示す画像１００に応じた画像データから、図１３（Ｂ）に示すように、Ｃ色成分の画像データ１０２Ｃ、Ｍ色成分の画像データ１０２Ｍ、Ｙ色成分の画像データ１０２Ｙ及び、Ｋ色成分の画像データ１０２Ｋを生成し、黒色への色変換及び合成処理した画像データ１０８を生成する（図１３（Ｃ））。
【０１２６】
この後、画像データ１０８に基づいて、画像１００のサイズに縮小したサイズの画像１１８を印刷出力する。これと共に、図１３（Ｅ）に示すように、画像１００を白黒で印刷した画像１２０を出力する。すなわち、２枚の白黒の画像１１８、１２０を出力する。
【０１２７】
このように形成した白黒の画像１１８、１２０のそれぞれを、ファクシミリ１６を用いて伝送する。これにより、受信側では、図１４（Ａ）に示す画像１１８に応じた画像１２２と、図１４（Ｂ）に示す画像１２０に応じた画像１２４が出力される。
【０１２８】
スキャナ４６では、この画像１２２、１２４を読み取って、画像１２２に応じた画像データと、画像１２４に応じた画像データをプリントサーバ８４へ出力する。
【０１２９】
プリントサーバ８４では、先ず、画像１２２に応じた画像データを分割することにより、図１４（Ｃ）に示すように、Ｃ色領域、Ｍ色領域、Ｙ色領域、Ｋ色領域の縮小画像データ１２６Ｃ、１２６Ｍ、１２６Ｙ、１２６Ｋを生成し、この後に、色変換を施すことにより、Ｃ色、Ｍ色、Ｙ色、Ｋ色の縮小画像データ１２８Ｃ、１２８Ｍ、１２８Ｙ、１２８Ｋを生成する。
【０１３０】
この後に、画像１２４に応じた画像データを、縮小画像データ１２８Ｃ、１２８Ｍ、１２８Ｙ、１２８Ｋに基づいて色変換を施す。これにより、図１４（Ｅ）に示すように、画像１００に応じた画像１３０が得られる。
【０１３１】
なお、ここでは、画像１００を白黒で印刷出力した画像１２４を用いたが、画像１２４を用いずに、縮小画像データ１２８Ｃ、１２８Ｍ、１２８Ｙ、１２８Ｋを用いて拡大印刷するようにしてもよい。
【０１３２】
〔具体例３〕
次に、図１５及び図１６を用いて具体例３を説明する。なお、図１５はプリントサーバ８２側での処理を示し、図１６はプリントサーバ８４側での処理を示している。
【０１３３】
図１５（Ａ）には、具体例３に適用した画像１３２を示している。具体例３では、この画像１３２に応じた画像データを読み込むと、画像１３２を４分割した画像データ１３４Ａ、１３４Ｂ、１３４Ｃ、１３４Ｄを生成し（図１５（Ｂ）参照）、さらに、画像データ１３４Ａ、１３４Ｂ、１３４Ｃ、１３４ＤのそれぞれをＣ、Ｍ、Ｙ、Ｋ成分に分版して画像データ１３６ＡＣ、１３６ＡＭ、１３６ＡＹ、１３６ＡＫ、画像データ１３６ＢＣ、１３６ＢＭ、１３６ＢＹ、１３６ＢＫ、画像データ１３６ＣＣ、１３６ＣＭ、１３６ＣＹ、１３６ＣＫ、及び、画像データ１３６ＤＣ、１３６ＤＭ、１３６ＤＹ、１３６ＤＫを生成する（図１５（Ｃ）参照）。
【０１３４】
この後、黒色に変換することにより、画像データ１３８ＡＣK、１３８ＡＭK、１３８ＡＹK、１３８ＡＫK、画像データ１３８ＢＣK、１３８ＢＭK、１３８ＢＹK、１３８ＢＫK、画像データ１３８ＣＣK、１３８ＣＭK、１３８ＣＹK、１３８ＣＫK、及び、画像データ１３８ＤＣK、１３８ＤＭK、１３８ＤＹK、１３８ＤＫKを生成する（図１５（Ｄ）参照）。
【０１３５】
さらに、それぞれを合成して印刷することにより、画像１４０Ａ、１４０Ｂ、１４０Ｃ、１４０Ｄを出力する（図１５（Ｄ）参照）。
【０１３６】
このように形成した白黒の画像１４０Ａ、１４０Ｂ、１４０Ｃ、１４０Ｄを、ファクシミリ１６を用いて伝送する。これにより、図１６（Ａ）に示すように、受信側では、画像１４０Ａ、１４０Ｂ、１４０Ｃ、１４０Ｄに応じた画像１４２Ａ、１４２Ｂ、１４２Ｃ、１４２Ｄがファクシミリ１６から出力される。
【０１３７】
スキャナ４６では、この画像１４２Ａ、１４２Ｂ、１４２Ｃ、１４２Ｄを読み取って、それぞれの画像データをプリントサーバ８４へ出力する。プリントサーバ８４では、入力された画像データのそれぞれを分割した後、色変換を行うことにより、画像データ１４４ＡＣ、１４４ＡＭ、１４４ＡＹ、１４４ＡＫ、画像データ１４４ＢＣ、１４４ＢＭ、１４４ＢＹ、１４４ＢＫ、画像データ１４４ＣＣ、１４４ＣＭ、１４４ＣＹ、１４ＣＫ、画像データ１４４ＤＣ、１４４ＤＭ、１４４ＤＹ、１４４ＤＫを生成する（図１６（Ｂ）参照）。
【０１３８】
この後に、各色成分を合成した合成画像１４６Ａ、１４６Ｂ、１４６Ｃ、１４６Ｄを生成し（図１６（Ｃ）参照）、さらに、これらを合成し、ラスタライズすることより、画像１３２に応じた画像１４８を出力する（図１６（Ｄ）参照）。
【０１３９】
なお、具体例１〜具体例３では、Ｃ、Ｍ、Ｙ、Ｋの各色成分に分版したが、少なくとも、Ｃ、Ｍ、Ｙに分版することにより、元の画像に極めて近似した画像を得ることができる。
【０１４０】
ここから、図１７（Ａ）に示すように、元の画像をＣ、Ｍ、Ｙに分版した画像データ１５０Ｃ、１５０M、１５０Ｙを生成し、この画像データ１５０Ｃ、１５０Ｍ、１５０Ｃを用いるようにしてもよい。
【０１４１】
また、画像を縮小した時に、縮小方向及び縮小率を予め定めておけば、正確な再現が可能となる。ここから、図１７（Ｂ）に示すように、画像１５０Ｃ、１５０Ｍ、１５０Ｙを横方向に、１／３になるように縮小した画像データ１５２Ｃ、１５２Ｍ、１５２Ｙを生成し、さらに、横方向に結合した画像データ１５４を用いることもできる（図１７（Ｃ）参照）。
【０１４２】
また、図１７（Ｄ）に示すように、画像１５０Ｃ、１５０Ｍ、１５０Ｙを縦方向に、１／３になるように縮小した画像データ１５６Ｃ、１５６Ｍ、１５６Ｙを生成し、さらに、横方向に結合した画像データ１５８を用いることもできる（図１７（Ｅ）参照）。
【０１４３】
さらに、図１７（Ｆ）に示すように、画像１５０Ｃ、１５０Ｍ、１５０Ｙを所定の縮小率（例えば１／４）で縮小した画像１６０Ｃ、１６０Ｍ、１６０Ｙを生成すると共に、元の画像に対する画像情報を記述した画像データ１６２を生成し、これらを結合した画像データ１６４を用いることもできる（図１７（Ｇ）参照）。
【０１４４】
このように、元の画像を少なくともＣ、Ｍ、Ｙ、好ましくは、Ｃ、Ｍ、Ｙ、Ｋに分版して形成した白黒の画像を用いることにより、白黒の画像として伝送しても、元のカラー画像への的確な再現が可能となる。
【０１４５】
なお、第４の実施の形態では、ファクシミリ１６を用いて、画像を伝送するようにしたが、白黒画像であり、かつ、縮小処理を施しているので、データ量を抑えることができるので、従量課金制のネットワークを介して、例えば、プリントサーバ８２からプリントサーバ８４へ伝送することも可能である。
【０１４６】
なお、以上説明した第１ないし第４の実施の形態は、本発明の構成を限定するものではない。
【図面の簡単な説明】
【０１４７】
【図１】第１の実施の形態に係る画像形成システムの要部を示す概略構成図である。
【図２】（Ａ）は元の画像を示す概略図、（Ｂ）は（Ａ）の画像をスクリーン処理することにより得られる画像の一例を示す概略図である。
【図３】（Ａ）は濃度をスクリーン線の太さによって表した概略図、（Ｂ）は濃度をスクリーン線の間隔で表した概略図、（Ｃ）は濃度に応じたスクリーン線の間隔例を示す概略図、（Ｄ）は濃度をスクリーン線の形状によって表した概略図である。
【図４】（Ａ）はドットマトリックスの一例と印字順序を示す概略図、（Ｂ）はスクリーン変換角度を４５°した時の階調表現の概略図である。
【図５】（Ａ）は第２の実施の形態に係る元の画像を示す概略図、（Ｂ）は（Ａ）の画像の解像度を１／２にすると共に、４画素で（Ａ）の画像の１画素としたときの概略図、（Ｃ）は（Ｂ）の概略拡大図である。
【図６】（Ａ）は図５（Ａ）の画像の解像度を２倍にしたときの画像の概略図、（Ｂ）は（Ａ）の概略拡大図、（Ｄ）は図５（Ａ）の画像の面積を４倍にしたときの画像の概略図、（Ｄ）は（Ｃ）の概略拡大図である。
【図７】第３の実施の形態に係る画像形成システムの要部の概略構成図である。
【図８】（Ａ）は元の原稿の一例を示す概略図、（Ｂ）は（Ａ）の構成原稿、（Ｃ）は校正指示に基づいて画像変換をした画像の概略図、（Ｄ）は校正指示に基づいた修正原稿の概略図である。
【図９】（Ａ）は校正原稿の他の一例を示す概略図、（Ｂ）は（Ａ）に用いたカラーチャート出力用フォームの一例を示す概略図である。
【図１０】第４の実施の形態に係る画像形成システムの要部の概略構成図である。
【図１１】（Ａ）乃至（Ｄ）は具体例１における送信側のプリントサーバでの処理の流れを示す概略図である。
【図１２】（Ａ）乃至（Ｄ）は具体例１における受信側のプリントサーバでの処理の流れを示す概略図である。
【図１３】（Ａ）乃至（Ｅ）は具体例２における送信側のプリントサーバでの処理の流れを示す概略図である。
【図１４】（Ａ）乃至（Ｅ）は具体例２における受信側のプリントサーバでの処理の流れを示す概略図である。
【図１５】（Ａ）乃至（Ｅ）は具体例３における送信側のプリントサーバでの処理の流れを示す概略図である。
【図１６】（Ａ）乃至（Ｄ）は具体例３における受信側のプリントサーバでの処理の流れを示す概略図である。
【図１７】（Ａ）は分版の他の一例を示す概略図、（Ｂ）、（Ｄ）及び（Ｆ）は分版後の縮小の他の一例を示す概略図、（Ｃ）は（Ｂ）の画像データの結合例を示す概略図、（Ｅ）は（Ｄ）の画像データの結合例を示す概略図、（Ｇ）は（Ｆ）の画像データの結合例を示す概略図である。
【符号の説明】
【０１４８】
１０、４０、８０    画像形成システム
１６    ファクシミリ
１８（１８Ａ、１８Ｂ）、４２、８２、８４    プリントサーバ
２０、５２    プリンタ
２２、４４    クライアントＰＣ
２４    スキャナユニット
４６    スキャナ
５４、８６、９２    画像処理部
６０    エリア抽出部
６２    情報抽出部
６４    画像変換部
８８    分版処理部
９０    変換処理部
９４    入力変換部
９６    合成処理部
【図１】
2006086979.tif 000003
【図２】
2006086979.tif 000004
【図３】
2006086979.tif 000005
【図４】
2006086979.tif 000006
【図５】
2006086979.tif 000007
【図６】
2006086979.tif 000008
【図７】
2006086979.tif 000009
【図８】
2006086979.tif 000010
【図９】
2006086979.tif 000011
【図１０】
2006086979.tif 000012
【図１１】
2006086979.tif 000013
【図１２】
2006086979.tif 000014
【図１３】
2006086979.tif 000015
【図１４】
2006086979.tif 000016
【図１５】
2006086979.tif 000017
【図１６】
2006086979.tif 000018
【図１７】
2006086979.tif 000019